(57)【要約】      （修正有）【課題】ファイルや書籍等の紙面の端縁に揃えて貼ることが容易にできるインデックスラベルを提供する。【解決手段】インデックスラベルの接着面１１に、折り畳み線１２に対して平行な位置合わせのための位置合わせ線１３が描かれている。【選択図】図１
2011005841.tif 000002
【特許請求の範囲】
【請求項１】
一方の面を表示面、他方の面を接着面とし、折り畳みのための折り畳み線を有し、前記折り畳み線に平行な位置合わせのための位置合わせ線が、前記接着面に描かれていることを特徴とするインデックスラベル。
【請求項２】
一方の面を表示面、他方の面を接着面とし、折り畳みのための折り畳み線を有し、前記折り畳み線に平行な仮想線上に配置された複数の目印が、前記接着面に描かれていることを特徴とするインデックスラベル。
【請求項３】
一方の面を表示面、他方の面を接着面とし、折り畳みのための折り畳み線を有し、前記折り畳み線に平行な境界において、前記接着面が色分けされていることを特徴とするインデックスラベル。
【請求項４】
一方の面を表示面、他方の面を接着面とし、折り畳みのための折り畳み線と、前記接着面に描かれた位置合わせのための位置合わせ線と、を有し、前記位置合わせ線が、前記折り畳み線に対して対称の位置に一対、または前記折り畳み線に対してそれぞれ対称の位置に複数対、もしくは前記折り畳み線に対する片側に１本または２本以上であることを特徴とするインデックスラベル。
【請求項５】
一方の面を表示面、他方の面を接着面とし、折り畳みのための折り畳み線と、前記接着面に描かれた仮想線上に配置された複数の目印と、を有し、前記目印が、前記折り畳み線に対して対称の位置に一対、または前記折り畳み線に対してそれぞれ対称の位置に複数対、もしくは前記折り畳み線に対する片側に１つまたは２つ以上であることを特徴とするインデックスラベル。
【請求項６】
一方の面を表示面、他方の面を接着面とし、折り畳みのための折り畳み線と、前記接着面を色分けされた境界と、を有し、前記境界が、前記折り畳み線に対して対称の位置に一対、または前記折り畳み線に対してそれぞれ対称の位置に複数対、もしくは前記折り畳み線に対する片側に１本または２本以上であることを特徴とするインデックスラベル。
【請求項７】
前記表示面が無地であることを特徴とする請求項１から６のいずれかに記載のインデックスラベル。
【発明の詳細な説明】
【技術分野】
【０００１】  本発明は、インデックスラベルに係り、更に詳しくは、ファイルや書籍等の端縁に容易に貼り付けることができるインデックスラベルに関する。
【背景技術】
【０００２】  従来より、ファイルや書籍等の紙面の端縁領域に見出しとして貼り付けるインデックスラベルが広く利用されている。これらのインデックスラベルの構成としては、矩形型をしているものが一般的であり、一方の面を表示面、他方の面を接着面とし、剥離紙に貼り付けされている。インデックスラベルを紙面に貼り付ける場合、先ず、剥離紙からインデックスラベルを剥がし取り、二枚厚となるように折り曲げながら挟み込むことにより行われる。
【先行技術文献】
【特許文献】
【０００３】
【特許文献１】特開２００３−１５９８９２号公報（第３−４頁、図５）
【発明の概要】
【発明が解決しようとする課題】
【０００４】  しかしながら、このようなインデックスラベルの構成にあっては、ファイルや書籍等の紙面の端縁に対して斜めの状態で貼り付けされたり、或いは、複数枚のインデックスラベルを貼り付けると、耳出し量が不揃いになる場合が多く、外観上の体裁を損なうという不都合が生じる。これは、貼り付け位置を人の勘に依存して行わなければならないことに起因する。【０００５】  先の特許文献１記載のインデックスラベルは、インデックスラベルの少なくとも片端側に折り曲げ可能な位置決め部を設ける、という構成を採ることにより、位置決めを可能とした。しかしながら、インデックスラベルを前記位置決め部に沿って折り曲げて、剥離紙から部分的に剥がした後、その剥がした領域と剥離紙との間にファイルや書籍等の紙面を差し込む、という貼り方は、従来からのインデックスラベルの貼り方に比べ、貼り付け作業が複雑である。そのため、貼り付け作業を迅速に行うことができない。【０００６】  また、従来からインデックスラベルは、紙面の表面にインデックスラベルの片面を貼り、２つに折ってもう一面を裏から貼る、という貼り方が一般的である。このような貼り方が、インデックスラベルの使用方法として実際の商品の袋に記されている場合もある。先の特許文献１に記載のインデックスラベルの貼り方もこの貼り方である。しかし、紙面の裏面にインデックスラベルの片面を貼り、２つに折る時に上から被せるように表面に貼るという貼り方もある。その方法を実際に試みてみると大変貼りやすく、ファイルや書籍等の紙面の端縁に揃えやすいことに気づく。【０００７】  しかしながら、そのような裏面からインデックスラベルを貼る場合も、従来の貼り方と同様、ファイルや書籍等の紙面に対して斜めの状態で貼り付けされたり、複数のインデックスラベルを貼り付けると、耳出し量が不揃いになる場合が多い。【０００８】  また、従来からのインデックスラベルは、矩形型のものが一般的である。その理由の１つは、耳出し量を一定にして、正確に貼ることが矩形型以外では困難だからである。【０００９】  また、従来からのインデックスラベルの表示面には赤や青等の長方形の枠が書いてある。最近は、インデックスラベルに文字等を手書きではなくて印刷することも多くなり、そのようなとき、枠に字が重なり不便を感じることもある。このような枠が書いてあるインデックスラベルが一般的である理由の１つは、枠がないと耳出し量を一定にして、正確に貼ることが困難だからである。【００１０】  本発明の目的は、インデックスラベルの貼り付け作業が容易且つ正確且つ迅速にできることである。また、従来のインデックスラベルのみならず、矩形型以外のもの、表示面に枠がないものでも容易且つ正確且つ迅速に貼り付け作業ができることである。
【課題を解決するための手段】
【００１１】  本発明に係るインデックスラベルは、一方の面を表示面、他方の面を接着面とし、折り畳みのための折り畳み線を有し、前記折り畳み線に平行な位置合わせのための位置合わせ線が、前記接着面に描かれていることを特徴とする。【００１２】  本発明に係るインデックスラベルは、一方の面を表示面、他方の面を接着面とし、折り畳みのための折り畳み線を有し、前記折り畳み線に平行な仮想線上に配置された複数の目印が、前記接着面に描かれていることを特徴とする。【００１３】  本発明に係るインデックスラベルは、一方の面を表示面、他方の面を接着面とし、折り畳みのための折り畳み線を有し、前記折り畳み線に平行な境界において、前記接着面が色分けされていることを特徴とする。【００１４】  本発明に関するインデックスラベルは、一方の面を表示面、他方の面を接着面とし、折り畳みのための折り畳み線と、前記接着面に描かれた位置合わせのための位置合わせ線と、を有し、前記位置合わせ線が、前記折り畳み線に対して対称の位置に一対、または前記折り畳み線に対してそれぞれ対称の位置に複数対、もしくは前記折り畳み線に対する片側に１本または２本以上であることを特徴とする。【００１５】  本発明に関するインデックスラベルは、一方の面を表示面、他方の面を接着面とし、折り畳みのための折り畳み線と、前記接着面に描かれた仮想線上に配置された複数の目印と、を有し、前記目印が、前記折り畳み線に対して対称の位置に一対、または前記折り畳み線に対してそれぞれ対称の位置に複数対、もしくは前記折り畳み線に対する片側に１つまたは２つ以上であることを特徴とする。【００１６】  本発明に関するインデックスラベルは、一方の面を表示面、他方の面を接着面とし、折り畳みのための折り畳み線と、前記接着面を色分けされた境界と、を有し、前記境界が、前記折り畳み線に対して対称の位置に一対、または前記折り畳み線に対してそれぞれ対称の位置に複数対、もしくは前記折り畳み線に対する片側に１つまたは２つ以上であることを特徴とする。【００１７】  前記インデックスラベルにおいて、前記表示面が無地であることを特徴とする。
【発明の効果】
【００１８】  本発明においては、インデックスラベルの片側をファイルや書籍等の紙面の裏面から先に貼るため、インデックスラベルの接着面が上を向くことになる。そのため、接着面に位置合わせのための位置合わせ線を描くことができ、位置決めが容易となる。さらに、インデックスラベルがファイルや書籍等の紙面の端縁に対して斜めの状態で貼り付けされることが防止できる。また、インデックスラベルの耳出し量を常に一定に維持することも可能となる。これにより、インデックスラベルの貼り付け作業が簡易且つ迅速に行われる優れた効果を得るのみならず、整然と美しく貼ることが可能となる。【００１９】  また、矩形型以外のインデックスラベルでも、耳出し量を一定にして正確に貼り付けることが可能となる。これによって、矩形型以外のインデックスラベルを商品化することが可能となる。【００２０】  また、位置合わせのための位置合わせ線を複数描くことにより、インデックスラベルの耳出し量をいく種類かに調節することが可能となる。インデックスラベルの耳出し量を多くするもの、少なくするもの、というように調節しながら、ファイルや書籍等の紙面に平行に貼ることが可能となる。【００２１】  また、インデックスラベルの表示面が無地の場合でも、接着面に位置合わせのための位置合わせ線を描くことにより、位置決めが容易となる。そのうえ、そのようなインデックスラベルの場合、片面印刷で製造することができ製造コストを抑えることが可能となる。【００２２】  これらの効果が従来のインデックスラベルに簡単な加工を加えただけで実現できる。
【図面の簡単な説明】
【００２３】
【図１】第１の実施例に係るインデックスラベルの接着面の平面図である
【図２】第２の実施例に係るインデックスラベルの接着面の平面図である。
【図３】第３の実施例に係るインデックスラベルの接着面の平面図である。
【図４】第４の実施例に係るインデックスラベルの接着面の平面図である。
【図５】第１、第２、第３、第４の実施例に係るインデックスラベルを紙面に貼り付ける中間状態を示す概略斜視図である。
【図６】第１、第２、第３  第４の実施例に係るインデックスラベルを紙面に貼り付けた状態を示す概略斜視図である。
【図７】第１、第２、第３、第４の実施例に係るインデックスラベルを紙面に複数貼り付けた状態を示す概略斜視図。
【図８】第５の実施例に係るインデックスラベルの接着面の平面図である。
【図９】第５の実施例に係るインデックスラベルを紙面に貼り付ける中間状態を示す概略斜視図である。
【図１０】第５の実施例に係るインデックスラベルを紙面に貼り付けた状態を示す概略斜視図である。
【図１１】第５の実施例に係るインデックスラベルを紙面に複数貼り付けた状態を示す概略斜視図。
【図１２】第６の実施例に係るインデックスラベルの接着面の平面図である。
【図１３】第６の実施例に係るインデックスラベルを紙面に複数貼り付けた状態を示す概略斜視図である。
【発明を実施するための形態】
【００２４】  第１の実施例から第６の実施例を図面を参照にしながら説明する。
【第１の実施例】
【００２５】  図１には、本発明の第１の実施例に係るインデックスラベルの接着面の平面図が示されている。図１においてインデックスラベル１ａには、折り畳み線１２に対して平行な位置合わせのための一対の位置合わせ線１３ａが、折り畳み線１２を挟んで接着面に描かれている。また、インデクスラベル１ｂには、折り畳み線１２に対して平行な位置合わせのための位置合わせ線１３ｂが接着面の片側に描かれている。前記位置合わせ線１３ａと１３ｂの線の種類は限定されるものではなくて、点線、ミシン目等でも良い。
【第２の実施例】
【００２６】  図２には、本発明の第２の実施例に係るインデックスラベルの接着面の平面図が示されている。図２においてインデックスラベル２ａには、折り畳み線１２に対して平行な仮想線上に配置された一対の目印１４ａが折り畳み線１２を挟んで接着面に描かれている。また、インデックスラベル２ｂには、折り畳み線１２に対して平行な仮想線上に配置された目印１４ｂが接着面の片側に描かれている。前記目印１４ａと１４ｂは限定されるものではなく、短い波線、点線、黒丸、三角等でも良い。
【第３の実施例】
【００２７】  図３には、本発明の第３の実施例に係るインデックスラベルの接着面の平面図が示されている。図３においてインデックスラベル３ａは、折り畳み線１２に対して平行な、折り畳み線を挟んだ一対の境界１５ａによって、接着面１１が色分けされている。また、インデックスラベル３ｂは、折り畳み線１２に対して平行な境界１５ｂによって、接着面１１の片側が色分けされている。
【第４の実施例】
【００２８】  図４には、本発明の第４の実施例に係るインデックスラベルの接着面の平面図が示されている。第１の実施例から第３の実施例においてはインデックスラベルの形状が矩形型であるが、第４の実施例においては矩形型以外である。ここで例としてあげたインデックスラベルは、二枚厚に折り曲げたときほぼ円形となる。これらの形は限定されるものではなく、略矩形型、半円、三角形、五角形等でも良い。
図４においてインデックスラベル４ａには、折り畳み線１２に対して平行な位置合わせのための一対の位置合わせ線１６ａが、折り畳み線を挟んで接着面１１に描かれている。また、インデックスラベル４ｂには、折り畳み線１２に対して平行な位置合わせのための位置合わせ線１６ｂが、接着面１１の片側に描かれている。
【００２９】  第１の実施例から第４の実施例におけるインデックスラベルの貼り方は、図５のように、接着面を上に向けてファイルや書籍等の紙面の裏面から貼る。そのとき、位置合わせ線１６にファイルや書籍等の紙面の端縁２０を合わせる。そして、図６のように、折り畳み線１２で二枚厚に折ると、図７のように端縁２０に対して折り畳み線１２が平行となり、耳出し量を揃えて貼ることができる。
【第５の実施例】
【００３０】  図８には、本発明の第５の実施例に係るインデックスラベルの接着面の平面図が示されている。第５の実施例は、第４の実施例と同様に矩形方以外である。ここで例としてあげたインデックスラベルは、二枚厚に折り曲げたとき、耳出し範囲が五角形となる。これらの形は限定されるものではなく、略矩形型、半円、三角形、台形等でも良い。
図８においてインデックスラベル５ａの位置合わせ線１６ａは折り畳み線１２に平行とはならない。折り畳み線１２を対称線とし、折り畳み線１２を挟んで一対の位置合わせのための位置合わせ線１６ａが接着面１１に描かれている。また、インデックスラベル５ｂの位置合わせ線１６ｂも、折り畳み線１２に対して平行とはならない。折り畳み線１２を対称線とし、位置合わせ線１６ｂが接着面１１の片側に描かれている。
本発明において前記インデックスラベル５ａと５ｂは、図９のように、接着面を上に向けてファイルや書籍等の紙面の裏面から貼る。そのとき、位置合わせ線１６にファイルや書籍などの紙面の端縁２０を合わせる。そして、図１０のように、折り畳み線１２で二枚厚に折ると、図１１のように耳出し量を揃えて貼ることができる。
【第６の実施例】
【００３１】  図１２には、本発明の第６の実施例に係るインデックスラベルの接着面の平面図が示されている。図１２においてインデックスラベル６ａには、折り畳み線１２に対して平行な位置合わせのための２対の位置合わせ線１６ａと１６ｃが接着面１１に描かれている。また、インデックスラベル６ｂには、折り畳み線１２に対して平行な位置合わせのための位置合わせ線１６ｂと１６ｄの２本が接着面１１の片側に描かれている。前記インデックスラベル６ａと６ｂは、位置合わせのための位置合わせ線１６が複数あることにより、図１３のようにファイルや書籍等に貼る時に耳出し量を調節でき、利便性が増す。これらの線や目印、境界の数は限定されるものではなく、３つ以上でも良い。なお、ここでは、矩形型で説明しているが、矩形型のみに限定されるものではなく、略矩形型、半円、三角形、台形等でも良い。
【００３２】  本発明の第４の実施例から第６の実施例におけるインデックスラベルの位置合わせのための位置合わせ線１６は、第１の実施例から第３の実施例に記載の位置合わせのための位置合わせ線、仮想線上に配置された目印、色分けの境界を指す。
【００３３】  本発明の第１から第６の実施例においての折り畳み線１２は、「仮想線」であって、実際に描かれた線ではない。（但し、描かれてもよい。）例えば、折り畳み易くするための線状の薄肉部（溝）、ミシン目、端縁に形成された一対を切欠の先端同士を結ぶ仮想の直線等、限定されるものではない。
【００３４】  本発明の第１から第６の実施例においてのインデックスラベルの表示面１０に関しては、限定されるものではなく、枠あり、色つき、無地等でもよい。
【符号の説明】
【００３５】  １０  インデックスラベルの表示面
１１  インデックスラベルの接着面
１２  インデックスラベルの折り畳み線
１３  位置合わせのための位置合わせ線
１４  位置合わせのための目印
１５  位置合わせのための色分けされた境界
１６  １３と１４と１５のいずれかの位置合わせのための線や目印や境界
２０  ファイルや書籍等の紙面の端縁
【図１】
2011005841.tif 000003
【図２】
2011005841.tif 000004
【図３】
2011005841.tif 000005
【図４】
2011005841.tif 000006
【図５】
2011005841.tif 000007
【図６】
2011005841.tif 000008
【図７】
2011005841.tif 000009
【図８】
2011005841.tif 000010
【図９】
2011005841.tif 000011
【図１０】
2011005841.tif 000012
【図１１】
2011005841.tif 000013
【図１２】
2011005841.tif 000014
【図１３】
2011005841.tif 000015